(57)【要約】      （修正有）【課題】冷却機能を備え、物品を一時的に保管する冷却ロッカー装置において、保管室の室数などのレイアウトを容易に変更可能な冷却ロッカー装置を提供する。【解決手段】冷却ロッカー装置は、一対のパネルの間に少なくとも断熱材が配設された一対の側板２２０、背板及び水平板を締結具によって接合して構成され、物品を保管する複数の保管室が上下方向又は左右方向に連設されたロッカー本体と、ロッカー本体の保管室の開口を開閉自由に閉塞する断熱扉と、を備えている。また、一対の側板２２０及び背板の少なくとも１つ、例えば、側板２２０において、保管室を臨む位置にあるパネル２２０Ａの裏面に、蒸発器としての冷媒配管５００が配管されている。そして、冷媒配管５００を避けて、側板２２０及び背板に対して水平板を接合することで、保管室の段数を変更する。【選択図】図５
2020020511.tif 000002
【特許請求の範囲】
【請求項１】
一対のパネルの間に少なくとも断熱材が配設された一対の側板、背板及び水平板を締結具によって接合して構成され、物品を保管する複数の保管室が上下方向又は左右方向に連設されたロッカー本体と、前記ロッカー本体の前記保管室の開口を開閉自由に閉塞する断熱扉と、を備えた冷却ロッカー装置であって、
前記一対の側板及び前記背板の少なくとも１つにおいて、前記保管室を臨む位置にある前記パネルの裏面に、蒸発器としての冷媒配管が配管された、
冷却ロッカー装置。
【請求項２】
前記冷媒配管は、前記パネルの裏面に蛇行して配管された、
請求項１に記載の冷却ロッカー装置。
【請求項３】
前記ロッカー本体には、前記保管室が少なくとも３つ連設され、
上下方向又は左右方向の両側に前記保管室が存在する前記保管室を臨む部分の前記側板及び前記背板の少なくとも１つにおける前記冷媒配管の配管密度を、他の部分における前記冷媒配管の配管密度より密にした、
請求項１又は請求項２に記載の冷却ロッカー装置。
【請求項４】
上下方向に複数の保管室が連設された前記ロッカー本体を左右方向に隣接して連結する場合、
前記冷媒配管は、前記２つのロッカー本体の連結面となる前記側板の前記パネルの裏面に配管された、
請求項１〜請求項３のいずれか１つに記載の冷却ロッカー装置。
【請求項５】
前記冷媒配管は、前記側板の上下方向に延びる直線配管と、前記側板の奥行方向の一方から他方にかけて蛇行する蛇行配管と、を有し、前記直線配管が、前記保管室の開口側に配管された、
請求項１〜請求項４のいずれか１つに記載の冷却ロッカー装置。
【発明の詳細な説明】
【技術分野】
【０００１】
本発明は、冷却機能を備えた冷却ロッカー装置に関する。
【背景技術】
【０００２】
物品を一時的に保管するロッカー装置として、特許第２９２１８８５号公報（特許文献１）に記載されるように、冷却機能を備えた冷却ロッカー装置が提案されている。かかる冷却ロッカー装置においては、物品を保管する複数の保管室を有するロッカー本体は、断熱材、冷媒配管及びパネルなどを一体成型して製造されていた。
【先行技術文献】
【特許文献】
【０００３】
【特許文献１】特許第２９２１８８５号公報
【発明の概要】
【発明が解決しようとする課題】
【０００４】
しかしながら、一体成型されたロッカー本体は形状が決まっていたため、例えば、顧客の要望によって保管室の室数を変更するには設計変更が必要であった。このため、顧客の要望などによって、保管室の室数などのレイアウトを容易に変更することが困難であり、所定形状のロッカー本体を組み合わせることのみが可能であった。
【０００５】
そこで、本発明は、保管室の室数などのレイアウトを容易に変更可能である冷却ロッカー装置を提供することを目的とする。
【課題を解決するための手段】
【０００６】
このため、冷却ロッカー装置は、一対のパネルの間に少なくとも断熱材が配設された一対の側板、背板及び水平板を締結具によって接合して構成され、物品を保管する複数の保管室が上下方向又は左右方向に連設されたロッカー本体と、ロッカー本体の保管室の開口を開閉自由に閉塞する断熱扉と、を備えている。また、一対の側板及び背板の少なくとも１つにおいて、保管室を臨む位置にあるパネルの裏面に、蒸発器としての冷媒配管が配管されている。
【発明の効果】
【０００７】
本発明によれば、保管室の室数などのレイアウトを容易に変更することができる。
【図面の簡単な説明】
【０００８】
【図１】基本型の冷却ロッカー装置の一例を示す斜視図である。
【図２】基本型のロッカー本体の一例を示す正面図である。
【図３】基本型のロッカー本体の一例を示す側面図である。
【図４】基本型の側板の一例を示す縦断面図である。
【図５】基本型の側板の一例を示す横断面図である。
【図６】基本型の背板の一例を示す横断面図である。
【図７】基本型の背板の他の例を示す縦断面図である。
【図８】基本型の水平板の一例を示す横断面図である。
【図９】冷凍機能を付与する工夫の説明図である。
【図１０】増設型の冷却ロッカー装置の一例を示す斜視図である。
【図１１】増設型のロッカー本体の一例を示す正面図である。
【図１２】増設型のロッカー本体の一例を示す側面図である。
【図１３】増設型の側板の一例を示す縦断面図である。
【図１４】基本型のロッカー本体と増設型のロッカー本体とを連結した状態を示す正面図である。
【図１５】基本型の冷却ロッカー装置と増設型の冷却ロッカー装置とを連結した状態を示す斜視図である。
【発明を実施するための形態】
【０００９】
以下、添付された図面を参照し、本発明を実施するための実施形態について詳述する。
図１は、必須最小構成となる基本型の冷却ロッカー装置１００の一例を示している。冷却ロッカー装置１００は、物品を一時的に保管する保管室ＳＲが上下方向に３つ連設され、その下方に冷凍サイクルを構成する圧縮機、凝縮器及び膨張器が収納される機械室ＭＲが設けられたものである。なお、冷却ロッカー装置１００の保管室ＳＲは、３つに限らず、任意の複数とすることができ、機械室ＭＲは、保管室ＳＲの上方に設けられていてもよい。また、冷却ロッカー装置１００は、複数の保管室ＳＲが左右方向に連設され、その左右方向のいずれか一方に機械室ＭＲが設けられたものであってもよい。
【００１０】
冷却ロッカー装置１００は、３つの保管室ＳＲ及び機械室ＭＲを有するロッカー本体２００と、ロッカー本体２００の保管室ＳＲの開口を開閉自由に閉塞する断熱扉３００と、ロッカー本体２００の機械室ＭＲの開口を着脱自由に閉塞する閉塞蓋４００と、を備えている。なお、閉塞蓋４００の下部には、機械室ＭＲに収納された圧縮機、凝縮器及び膨張器を冷却するために、左右方向に延びる複数のスリットからなる換気孔ＶＨが形成されている。
【００１１】
ロッカー本体２００は、図２及び図３に示すように、左右一対の側板２２０と、１つの背板２４０と、５つの水平板２６０と、を有している。側板２２０、背板２４０及び水平板２６０は、例えば、ねじなどの締結具を使用して相互に接合されて、ロッカー本体２００を構成している。
【００１２】
左右一対の側板２２０は、平面視で長方形状をなす断熱性を有する構造部材であって、板面が鉛直面上に延びつつ平行に配置されることで、ロッカー本体２００の左右の側面を形成している。背板２４０は、平面視で長方形状をなす断熱性を有する構造部材であって、左右一対の側板２２０の間において板面が側板２２０の板面と垂直かつ鉛直面上に延びることで、ロッカー本体２００の背面を形成している。水平板２６０は、平面視で長方形状をなす断熱性を有する構造部材であって、板面が左右一対の側板２２０及び背板２４０と垂直に延びることで、ロッカー本体２００の上面及び下面、保管室ＳＲの上面及び下面、機械室ＭＲの上面及び下面を形成している。従って、ロッカー本体２００では、左右一対の側板２２０、背板２４０及び水平板２６０によって、３つの保管室ＳＲ及び機械室ＭＲが区画されている。なお、背板２４０の下部、即ち、機械室ＭＲを臨む板面には、機械室ＭＲに収納された圧縮機、凝縮器及び膨張器を空冷するために、左右方向に延びる複数のスリットからなる換気孔ＶＨが形成されている。
【００１３】
側板２２０は、図４及び図５に示すように、一対のパネル２２０Ａと、パネル２２０Ａの周縁部に配設されたパネル枠２２０Ｂと、一対のパネル２２０Ａ及びパネル枠２２０Ｂにより区画される空間に配設される断熱材２２０Ｃと、を有している。そして、一対のパネル２２０Ａ及びパネル枠２２０Ｂは、一対のパネル２２０Ａの間に断熱材２２０Ｃを挟んだ状態で、例えば、ねじなどの締結具や両面テープなどを使用して相互に接合されて、側板２２０を構成している。
【００１４】
パネル２２０Ａは、熱伝導率が大きい長方形状の金属板などからなり、側板２２０の保管室ＳＲ又は機械室ＭＲを臨む内面及びその反対側の外面を形成する。なお、外面は、熱伝導率が小さく断熱効果が期待できる、軽量な樹脂板であってもよい。パネル枠２２０Ｂは、矩形断面を有する合成木材などからなり、パネル２２０Ａの周縁部に配置されることで、パネル２２０Ａを補強する。断熱材２２０Ｃは、例えば、半独立気泡型のＥＰＤＭ（エチレン・プロピレン・ジェン・モノマー）などのフォーム材であって、一対のパネル２２０Ａ及びパネル枠２２０Ｂにより区画される空間に配置されることで、側板２２０の断熱性を向上させると共に、後述する冷媒配管を包むように弾性変形してこれを保持する。ここで、断熱材２２０Ｃとしては、ＥＰＤＭに限らず、弾性を有する任意の部材とすることもできる。なお、側板２２０の外面側に位置するパネル２２０Ａと断熱材２２０Ｃとの間には、保管室ＳＲの冷気が外部に放射されることを抑制すべく、公知の断熱部材（例えば、真空断熱材、ウレタンなど）を配設するようにしてもよい。
【００１５】
側板２２０の内部、具体的には、側板２２０の内面側に位置するパネル２２０Ａの裏面には、これと接触するように、冷凍サイクルの冷媒が流通する冷媒配管５００が配管されている。冷媒配管５００は、側板２２０の製造時に位置が変わらないように、例えば、パネル２２０Ａの裏面にアルミテープなどで仮止めされている。また、冷媒配管５００の一部は、図４に示すように、保管室ＳＲを臨む部分のパネル２２０Ａの裏面に蛇行して配管されている。ここで、「蛇行」とは、冷媒配管５００が矩形波状に左右に曲がっていることを意味する。蛇行の回数（頻度）は、例えば、保管室ＳＲの必要冷却能力、冷媒温度などに応じて適宜決定することができる。
【００１６】
冷媒配管５００は、パネル２２０Ａの上下方向に延びる直線配管５００Ａと、パネル２２０Ａの奥行方向の一方から他方にかけて蛇行する蛇行配管５００Ｂと、を有している。直線配管５００Ａは、保管室ＳＲの開口側（図では左側）に配管され、その下端開口から冷媒が流入する。また、蛇行配管５００Ｂは、保管室ＳＲの開口側と反対方向、即ち、ロッカー本体２００の背面側（図では右側）に配管され、その下端開口から冷媒が流出する。このようにすれば、冷媒配管５００の冷媒入口及び冷媒出口が機械室ＭＲの開口側に位置するので、これらに冷凍サイクルの配管（図示せず）を接続する作業が容易になる。なお、冷媒は、蛇行配管５００Ｂの下端開口から流入し、直線配管５００Ａの下端開口から流入するようにしてもよい。
【００１７】
従って、側板２２０の内部に配管された冷媒配管５００に冷媒が流通すると、冷媒配管５００が熱伝導率の大きいパネル２２０Ａと接触しているので、保管室ＳＲを臨む側板２２０の板面をＰＯＳ（パイプオンシート）方式の蒸発器として機能させることができる。このため、保管室ＳＲの温度分布の均一化が促進され、冷却効率を向上させることができる。
【００１８】
背板２４０は、図６に示すように、一対のパネル２４０Ａと、パネル２４０Ａの周縁部に配設されたパネル枠２４０Ｂと、一対のパネル２４０Ａ及びパネル枠２４０Ｂにより区画される空間に配設される断熱材２４０Ｃと、を有している。そして、一対のパネル２４０Ａ及びパネル枠２４０Ｂは、一対のパネル２４０Ａの間に断熱材２４０Ｃを挟んだ状態で、例えば、ねじなどの締結具や両面テープなどを使用して相互に接合されて、背板２４０を構成している。なお、パネル２４０Ａ、パネル枠２４０Ｂ及び断熱材２４０Ｃは、側板２２０のパネル２２０Ａ、パネル枠２２０Ｂ及び断熱材２２０Ｃと同様であるので、その詳細な説明を省略する。必要があれば、側板２２０の説明を参照されたい。
【００１９】
背板２４０の内部、具体的には、背板２４０の内面側に位置するパネル２４０Ａの裏面には、これと接触するように、冷凍サイクルの冷媒が流通する冷媒配管５００が配管されている。冷媒配管５００の形状、作用及び効果などは、側板２２０における冷媒配管５００の形状、作用及び効果と同様であるので、その詳細な説明を省略する。必要があれば、側板２２０の説明を参照されたい。なお、背板２４０の冷媒配管５００は、例えば、ワンタッチ式の継手を使用して、側板２２０の冷媒配管５００、冷凍サイクルの配管などに接続されている。
【００２０】
背板２４０の内部に配管する冷媒配管５００は、図７に示すように、パネル２４０Ａの左右方向の一方において下方から上方へと延び、その上端に沿って左右方向へと延びた後、その左右方向の他方において上方から下方へと延びるようにしてもよい。また、この冷媒配管５００は、パネル２４０Ａの上下方向に蛇行することもできる。
【００２１】
水平板２６０は、図８に示すように、一対のパネル２６０Ａと、パネル２６０Ａの周縁部に配設されたパネル枠２６０Ｂと、一対のパネル２６０Ａ及びパネル枠２６０Ｂにより区画される空間に配設される断熱材２６０Ｃと、を有している。そして、一対のパネル２６０Ａ及びパネル枠２６０Ｂは、一対のパネル２６０Ａの間に断熱材２６０Ｃを挟んだ状態で、例えば、ねじなどの締結具や両面テープなどを使用して相互に接合されて、水平板２６０を構成している。なお、パネル２６０Ａ、パネル枠２６０Ｂ及び断熱材２６０Ｃは、側板２２０のパネル２２０Ａ、パネル枠２２０Ｂ及び断熱材２２０Ｃと同様であるので、その詳細な説明を省略する。必要があれば、側板２２０の説明を参照されたい。
【００２２】
断熱扉３００は、例えば、水平板２６０と同様に、一対のパネルと、パネルの周縁部に配設されたパネル枠と、一対のパネル及びパネル枠により区画される空間に配設される断熱材と、を有している。そして、一対のパネル及びパネル枠は、一対のパネルの間に断熱材を挟んだ状態で、例えば、ねじなどの締結具や両面テープなどを使用して相互に接合されて、断熱扉３００を構成している。
【００２３】
断熱扉３００は、ヒンジなどを介して、ロッカー本体２００の側板２２０の前面に開閉自由に固定され、保管室ＳＲの開口を開閉自由に閉塞する。また、断熱扉３００は、例えば、テンキーなどにより施錠及び開錠が可能なロック機構を備え、保管室ＳＲの物品を所有者以外が容易に取り出せないようになっている。なお、断熱扉３００の板面には、保管室ＳＲの物品を目視可能なように、例えば、断熱性を有する透明又は半透明のガラス、樹脂板などが嵌め込まれていてもよい。
【００２４】
閉塞蓋４００は、機械室ＭＲに収納された圧縮機、凝縮器及び膨張器などを点検整備可能とすべく、例えば、ねじなどの締結具を使用して、ロッカー本体２００の前面に着脱自由に固定されている。
【００２５】
かかる基本型の冷却ロッカー装置１００によれば、保管室ＳＲ及び機械室ＭＲを有するロッカー本体２００は、左右一対の側板２２０、１つの背板２４０及び複数の水平板２６０をねじなどの締結具で接合して構成されている。このため、例えば、顧客の要望に応じて保管室ＳＲの室数を増減したり、保管室ＳＲの大きさを変更したりする場合、側板２２０及び背板２４０の冷媒配管５００を避けて水平板２６０をねじなどの締結具で接合すればよい。なお、保管室ＳＲの開口を開閉自由に閉塞する断熱扉３００は、保管室ＳＲの開口サイズに適合したものを予め用意しておけばよい。
【００２６】
また、冷却ロッカー装置１００を設置又は撤去する場合、現場で側板２２０、背板２４０及び水平板２６０を含むロッカー本体２００を組立可能又は分解可能であるため、例えば、エレベータで完成品を搬送できないような場合でも対応することができる。さらに、ロッカー本体２００の側板２２０、背板２４０及び水平板２６０などは、ねじなどの締結具や両面テープなどを使用して接合されて構成されているので、これらをさらに分解することで、リサイクル時の分別を容易に行うことができる。
【００２７】
冷却ロッカー装置１００において、ロッカー本体２００に少なくとも３つの保管室ＳＲが連設されている場合、図９に示すように、上下方向の両側に保管室ＳＲが存在する保管室ＳＲ、即ち、中央に位置する保管室ＳＲを臨む部分の側板２２０のパネル２２０Ａの冷媒配管５００の配管密度を他の部分の冷媒配管５００の配管密度より密（大）にしてもよい。図示の例では、側板２２０の奥行方向における冷媒配管５００の蛇行回数を増やすことで配管密度を密にしているが、例えば、側板２２０の上下方向に冷媒配管５００を更に蛇行させて配管密度を密にすることもできる。なお、背板２４０についても、側板２２０と同様に、中央に位置する保管室ＳＲを臨む部分の冷媒配管５００の配管密度を他の部分の冷媒配管５００の配管密度より密にすることができる。
【００２８】
このようにすれば、冷凍サイクルを循環する冷媒の温度を冷凍温度まで低下させると、中央に位置する保管室ＳＲにおける熱交換量が大きくなり、その保管室ＳＲは冷凍機能を有するようになる。このとき、中央に位置する保管室ＳＲの上下には、冷却されている保管室ＳＲが夫々存在するので、少なくとも、中央に位置する保管室ＳＲの上下から冷気が放射されること、換言すると、外部からの侵入熱を抑制することができる。冷媒配管５００の配管密度は、保管室ＳＲの目標温度などに応じて適宜設定することができる。なお、保管室ＳＲに冷凍機能を付与する構成は、後述する増設型の冷却ロッカー装置にも適用することができる。
【００２９】
図１０は、基本型の冷却ロッカー装置１００と組み合わせて使用される、増設型の冷却ロッカー装置６００の一例を示している。冷却ロッカー装置６００は、物品を一時的に保管する保管室ＳＲが上下方向に５つ連設されたものである。なお、冷却ロッカー装置６００の保管室ＳＲは、５つに限らず、任意の複数とすることができる。また、冷却ロッカー装置６００は、複数の保管室ＳＲが左右方向に連設されたものであってもよい。
【００３０】
冷却ロッカー装置６００は、５つの保管室ＳＲを有するロッカー本体７００と、ロッカー本体７００の保管室ＳＲの開口を開閉自由に閉塞する断熱扉３００と、を備えている。
【００３１】
ロッカー本体７００は、図１１及び図１２に示すように、左右一対の側板７２０と、１つの背板７４０と、６つの水平板７６０と、を有している。側板７２０、背板７４０及び水平板７６０は、例えば、ねじなどの締結具を使用して相互に接合されて、ロッカー本体７００を構成している。
【００３２】
左右一対の側板７２０は、平面視で長方形状をなす断熱性を有する構造部材であって、板面が鉛直面上に延びつつ平行に配置されることで、ロッカー本体７００の左右の側面を形成している。背板７４０は、平面視で長方形状をなす断熱性を有する構造部材であって、左右一対の側板７２０の間において板面が側板７２０の板面と垂直かつ鉛直面上に延びることで、ロッカー本体７００の背面を形成している。水平板７６０は、平面視で長方形状をなす断熱性を有する構造部材であって、板面が左右一対の側板７２０及び背板７４０と垂直に延びることで、ロッカー本体７００の上面及び下面、保管室ＳＲの上面及び下面を形成している。従って、ロッカー本体７００では、左右一対の側板７２０、背板７４０及び水平板７６０によって、５つの保管室ＳＲが区画されている。
【００３３】
側板７２０は、図１３に示すように、一対のパネル７２０Ａと、パネル７２０Ａの周縁部に配設されたパネル枠７２０Ｂと、一対のパネル７２０Ａ及びパネル枠７２０Ｂにより区画される空間に配設される断熱材（図示せず）と、を有している。そして、一対のパネル７２０Ａ及びパネル枠７２０Ｂは、一対のパネル７２０Ａの間に断熱材を挟んだ状態で、例えば、ねじなどの締結具や両面テープなどを使用して相互に接合されて、側板７２０を構成している。
【００３４】
パネル７２０Ａは、熱伝導率が大きい長方形状の金属板などからなり、側板７２０の保管室ＳＲを臨む内面及びその反対側の外面を形成する。なお、外面は、熱伝導率が小さく断熱効果が期待できる、軽量な樹脂板であってもよい。パネル枠７２０Ｂは、矩形断面を有する合成木材などからなり、パネル７２０Ａの周縁部に配置されることで、パネル７２０Ａを補強する。断熱材２４０Ｃは、例えば、半独立気泡型のＥＰＤＭ（エチレン・プロピレン・ジェン・モノマー）などのフォーム材であって、一対のパネル７２０Ａ及びパネル枠７２０Ｂにより区画される空間に配置されることで、側板７２０の断熱性を向上させると共に、冷媒配管５００を包むように弾性変形してこれを保持する。なお、側板７２０の外面側に位置するパネル７２０Ａと断熱材２４０Ｃとの間には、保管室ＳＲの冷気が外部に放射されることを抑制すべく、公知の断熱部材（例えば、真空断熱材、ウレタンなど）を配設するようにしてもよい。
【００３５】
側板７２０の内部、具体的には、側板７２０の内面側に位置するパネル７２０Ａの裏面には、これと接触するように、冷凍サイクルの冷媒が流通する冷媒配管５００が配管されている。冷媒配管５００は、側板７２０の製造時に位置が変わらないように、例えば、パネル７２０Ａの裏面にアルミテープなどで仮止めされている。また、冷媒配管５００は、パネル７２０Ａの裏面全体に蛇行して配管されている。
【００３６】
冷媒配管５００は、パネル７２０Ａの上下方向に延びる直線配管５００Ａと、パネル７２０Ａの奥行方向の一方から他方にかけて蛇行する蛇行配管５００Ｂと、を有している。直線配管５００Ａは、保管室ＳＲの開口側（図では左側）に配管され、その下端開口から冷媒が流入する。また、蛇行配管５００Ｂは、保管室ＳＲの開口側と反対方向、即ち、ロッカー本体７００の背面側（図では右側）に配管され、その下端開口から冷媒が流出する。このようにすれば、冷媒配管５００の冷媒入口及び冷媒出口が保管室ＳＲの開口側に位置するので、これらに冷凍サイクルの配管（図示せず）を接続する作業が容易になる。なお、冷媒は、蛇行配管５００Ｂの下端開口から流入し、直線配管５００Ａの下端開口から流入するようにしてもよい。
【００３７】
従って、側板７２０の内部に配管された冷媒配管５００に冷媒が流通すると、冷媒配管５００が熱伝導率の大きいパネル７２０Ａと接触しているので、保管室ＳＲを臨む側板７２０の板面をＰＯＳ方式の蒸発器として機能させることができる。このため、保管室ＳＲの温度分布の均一化が促進され、冷却効率を向上させることができる。
【００３８】
背板７４０は、冷媒配管５００の配管位置を除き、基本型のロッカー本体２００の背板２４０と同様であるので、その詳細な説明を省略する。また、水平板７６０は、基本型のロッカー本体２００の水平板２６０と同様であるので、その詳細な説明を省略する。必要があれば、側板２２０の説明を参照されたい。
【００３９】
そして、冷却ロッカー装置６００のロッカー本体７００には、基本型の冷却ロッカー装置１００と同様に、断熱性を有する断熱扉３００が開閉自由に取り付けられ、保管室ＳＲの開口を開閉自由に閉塞する。なお、増設型の冷却ロッカー装置６００の機能、作用及び効果などは、機械室ＭＲを除き、基本型の冷却ロッカー装置１００の機能、作用及び効果と同様であるので、その説明を省略する。必要があれば、基本型の冷却ロッカー装置１００の説明を参照されたい。
【００４０】
増設型の冷却ロッカー装置６００は、図１４及び図１５に示すように、基本型の冷却ロッカー装置１００の左右方向の少なくとも一方に連結される。増設型の冷却ロッカー装置６００の冷媒配管５００は、例えば、ワンタッチ式の継手を使用して、基本型の冷却ロッカー装置１００の冷媒配管５００に直列接続又は冷凍サイクルの配管に並列接続される。このため、冷媒配管５００を接続するだけで、増設型の冷却ロッカー装置６００の冷媒配管５００に冷媒を供給することができる。ここで、直列接続の場合、基本型の冷却ロッカー装置１００の冷凍サイクルを流通する冷媒は、冷却ロッカー装置１００の側板２２０及び背板２４０の冷媒配管５００を通って、増設型の冷却ロッカー装置６００へと供給される。一方、並列接続の場合、冷凍サイクルに対する接続箇所に開閉弁（図示せず）を配設することによって、基本型の冷却ロッカー装置１００と増設型の冷却ロッカー装置６００とを、必要に応じて、個別に冷却ロッカーと非冷却（常温）ロッカーとに切り替えることができる。このとき、常温ロッカーでは、例えば、冷凍サイクルをヒートポンプとして作動させて加温するようにしてもよい。なお、基本型の冷却ロッカー装置１００と増設型の冷却ロッカー装置６００とは、例えば、公知の連結部材を介して強固に機械的に連結することもできる。また、基本型の冷却ロッカー装置１００に対して、２つ以上の増設型の冷却ロッカー装置６００を連結することもできる。
【００４１】
上下方向に複数の保管室ＳＲが連設された基本型の冷却ロッカー装置１００又は増設型の冷却ロッカー装置６００を左右方向に隣接して連結する場合、側板２２０又は７２０に配管された冷媒配管５００は、少なくとも、冷却ロッカー装置の連結面となる側板２２０のパネル２２０Ａ又は側板７２０のパネル７２０Ａの裏面に配管することができる。このようにすれば、冷却機能を有する側板２２０及び７２０が隣接することとなり、外部への熱放出が抑制されることから、冷却ロスが少なくなって冷却効率を向上させることができる。なお、基本型の冷却ロッカー装置１００又は増設型の冷却ロッカー装置６００を左右方向に隣接して連結する場合には、その中間の側壁を共用して１枚とし、左右外方に位置する側板２２０のパネル２２０Ａ及び側板７２０のパネル７２０Ａの裏面に冷媒配管５００を夫々配管するようにしてもよい。
【００４２】
なお、以上の説明においては、冷媒配管５００は、保管室ＳＲを臨む側板２２０及び７２０並びに背板２４０及び７４０に配管されていたが、その左右一対の側板２２０及び７２０並びに背板２４０及び７４０の少なくとも１つに配管されていてもよい。このようにすれば、保管室ＳＲを少なくとも一面から冷却することができ、冷媒配管５００の全長を短縮することができる。また、基本型の冷却ロッカー装置１００及び増設型の冷却ロッカー装置６００において、左右一対の側板２２０及び７２０の間に、例えば、断熱材を有するが冷媒配管を有していない仕切板、断熱材及び冷媒配管を有していない仕切板を配設し、保管室ＳＲを左右方向に分割してその室数を増加させてもよい。
【符号の説明】
【００４３】
１００  冷却ロッカー装置
２００  ロッカー本体
２２０  側板
２２０Ａ  パネル
２２０Ｃ  断熱材
２４０  背板
２４０Ａ  パネル
２４０Ｃ  断熱材
２６０  水平板
２６０Ａ  パネル
２６０Ｃ  断熱材
３００  断熱扉
５００  冷媒配管
５００Ａ  直線配管
５００Ｂ  蛇行配管
６００  冷却ロッカー装置
７００  ロッカー本体
７２０  側板
７２０Ａ  パネル
７４０  背板
７６０  水平板
ＳＲ  保管室
【図１】
2020020511.tif 000003
【図２】
2020020511.tif 000004
【図３】
2020020511.tif 000005
【図４】
2020020511.tif 000006
【図５】
2020020511.tif 000007
【図６】
2020020511.tif 000008
【図７】
2020020511.tif 000009
【図８】
2020020511.tif 000010
【図９】
2020020511.tif 000011
【図１０】
2020020511.tif 000012
【図１１】
2020020511.tif 000013
【図１２】
2020020511.tif 000014
【図１３】
2020020511.tif 000015
【図１４】
2020020511.tif 000016
【図１５】
2020020511.tif 000017